(57)【特許請求の範囲】
【請求項１】
本体と開閉可能な蓋体とを有する排紙容器に、処理手段から排出された処理済みのシートを収納させるために、突当板と一対の側板を備えて前記処理手段に設けられた排紙台の上に取り付けられる排紙器において、
前記排紙台の上で前記一対の側板の間に設置され、前記排紙容器の本体が前記一対の側板に接した状態で載置される底板と、
前記底板に設けられて前記排紙容器の本体の前面が当接する前支持部と、
を有する排紙器。
【請求項２】
前記底板に設けられ、前記排紙容器の前記蓋体を前記突当板に当接した状態で保持する保持部を有する請求項１記載の排紙器。
【請求項３】
前記前支持部の高さが、前記排紙容器の前記本体の高さよりも大きく設定されている請求項１記載の排紙器。
【請求項４】
前記前支持部には、前記排紙容器の前記本体を排紙方向に付勢する付勢手段が設けられている請求項１記載の排紙器。
【請求項５】
請求項１に記載の排紙器に適用される排紙容器において、
前記底板の上に載置され、その両側面が前記排紙台の一対の側板に当接し、その前面が前記前支持部に当接する中空箱型の開口を備えた本体と、
前記本体の前記開口に開閉自在に設けられて、前記排紙台の前記突当板に当接する蓋体と、
を有する排紙容器。
【請求項６】
請求項１に記載の排紙器に設けられた請求項５に記載の排紙容器に適用され、前記排紙容器内にシートを導く排紙ガイドにおいて、
前記排紙容器の前記本体の内形状及び高さと実質的に同一の外形状及び高さを有し、前記本体内に載置される枠体と、
前記枠体の前面側を除く他の辺部に設けられ、前記シートを前記枠体内に導くガイド部材と、
を有する排紙ガイド。
【請求項７】
突当板と一対の側板を有する排紙台に設けられて処理手段が排出する処理済みのシートを受け入れる排紙収容装置において、
開口を備えた中空箱型の本体と前記本体の前記開口に開閉自在に設けられた蓋体を有する排紙容器と、
前記排紙台の上で前記一対の側板の間に設置され、前記排紙容器の本体が前記一対の側板に接するとともに前記排紙容器の前記蓋体が前記突当板に当接するように前記排紙容器の本体が載置される底板と、
前記底板に設けられて前記排紙容器の本体の前面が当接する前支持部と、
を有する排紙収容装置。
【請求項８】
前記底板に設けられ、前記排紙容器の前記蓋体を前記突当板に当接した状態で保持する保持部を有する請求項７記載の排紙収容装置。
【請求項９】
前記前支持部の高さが、前記排紙容器の前記本体の高さよりも大きく設定されている請求項７記載の排紙収容装置。
【請求項１０】
前記前支持部には、前記排紙容器の前記本体を排紙方向に付勢する付勢手段が設けられている請求項７記載の排紙収容装置。
【請求項１１】
前記排紙容器の前記本体の内形状及び高さと実質的に同一の外形状及び高さを備えて前記本体内に載置される枠体と、前記枠体の後部に設けられた後部ガイドシートと、前記枠体の一対の側部に設けられた一対の側部ガイドシートとを有する排紙ガイドを備え、
前記排紙ガイドを前記排紙容器の前記本体内に配置した状態において、前記後部ガイドシートが前記排紙容器の前記蓋体に当接するように構成された請求項７記載の排紙収容装置。
【発明の詳細な説明】
【０００１】
【発明の属する技術分野】
一般に画像形成装置などのシート状物の処理手段には、処理されて排出されたシート状物（排紙）を受け入れるための排紙台が設けられている。本願発明は、この排紙台に設けられ、排紙を整然と積載した状態で所定の容器に直接収納する機能を備えた排紙器に関する。さらに本発明は、この排紙器に用いる排紙容器と、さらに排紙時にこの排紙容器に用いる排紙枠に関する。さらに、本発明は、これらの組み合わせからなる排紙収容装置に関する。
【０００２】
【従来の技術】
孔版印刷装置等の画像形成装置は、印刷用紙のようなシートを処理して排出する点において、シート状物の処理手段として捉えることができる。かかるシート状物の処理手段である孔版印刷装置においては、画像形成後に排出される印刷物を積載するための排紙台が一般に備えられている。
【０００３】
【発明が解決しようとする課題】
しかしながら、例えば葉書等の定型の印刷物を効率的に積載でき、しかも取り扱いの簡単な簡易な構造の装置は従来知られていなかった。特に、印刷後の葉書等は排出後に直接箱等に収納すれば取り扱い性が向上するが、簡易な構造でこのような排紙を整然と積載した状態で所定の容器に直接収納できる機能を備えた装置は従来提案されていなかった。
【０００４】
本発明は、簡易な構造で排紙を整然と積載した状態で所定の容器に直接収納する機能を備えた排紙器を提供することを目的としている。さらに、本発明は、この排紙器に適した排紙容器と、さらに排紙時にこの排紙容器に用いて排紙の収納をさらに効率化する排紙枠を提供することを目的としている。さらに、本発明は、これらの組み合わせからなり、特に葉書等の定型の排紙を整然と積載した状態で所定の容器に直接収納できる機能を備えた紙収容装置を提供することを目的としている。
【０００５】
【課題を解決するための手段】
請求項１に記載された排紙器（３１）は、本体（４１）と開閉可能な蓋体（４２）とを有する排紙容器（３２）に、処理手段から排出された処理済みのシート（葉書５０）を収納させるために、突当板（２２）と一対の側板（２３）を備えて前記処理手段に設けられた排紙台（２０）の上に取り付けられる排紙器において、前記排紙台の上で前記一対の側板の間に設置され、前記排紙容器の本体が前記一対の側板に接した状態で載置される底板（３５）と、前記底板に設けられて前記排紙容器の本体の前面が当接する前支持部（３９）とを有している。
【０００６】
請求項２に記載された排紙器（３１）は、請求項１記載の排紙器において、前記底板（３５）に設けられ、前記排紙容器（３２）の前記蓋体（４２）を前記突当板（２２）に当接した状態で保持する保持部（３８）を有することを特徴としている。
【０００７】
請求項３に記載された排紙器（３１）は、請求項１記載の排紙器において、前記前支持部（３９）の高さが、前記排紙容器（３２）の前記本体（４１）の高さよりも大きく設定されていることを特徴としている。
【０００８】
請求項４に記載された排紙器（３１）は、請求項１記載の排紙器において、前記前支持部（３９）には、前記排紙容器（３２）の前記本体（４１）を排紙方向に付勢する付勢手段（シート材４０）が設けられていることを特徴としている。
【０００９】
請求項５に記載された排紙容器（３２）は、請求項１に記載の排紙器（３１）に適用される。この排紙容器は、前記底板（３５）の上に載置され、その両側面が前記排紙台（２０）の一対の側板（２３）に当接し、その前面が前記前支持部（３９）に当接する中空箱型の開口を備えた本体（４１）と、前記本体の前記開口に開閉自在に設けられて、前記排紙台の前記突当板（２２）に当接する蓋体（４２）とを有している。
【００１０】
請求項６に記載された排紙ガイド（３３）は、請求項１に記載の排紙器（３１）に設けられた請求項５に記載の排紙容器（３２）に適用され、前記排紙容器内にシート（葉書５０）を導く。この排紙ガイドは、前記排紙容器の前記本体（４１）の内形状及び高さと実質的に同一の外形状及び高さを有し、前記本体内に載置される枠体（４５）と、前記枠体の前面側を除く他の辺部に設けられ、前記シートを前記枠体内に導くガイド部材（４６，後部ガイドシート４７，側部ガイドシート４８）とを有している。
【００１１】
請求項７に記載された排紙収容装置（３０）は、突当板（２２）と一対の側板（２３）を有する排紙台（２０）に設けられて処理手段が排出する処理済みのシート（葉書５０）を受け入れる排紙収容装置において、開口を備えた中空箱型の本体（４１）と前記本体の前記開口に開閉自在に設けられた蓋体（４２）を有する排紙容器（３２）と、前記排紙台の上で前記一対の側板の間に設置され、前記排紙容器の本体が前記一対の側板に接するとともに前記排紙容器の前記蓋体が前記突当板に当接するように前記排紙容器の本体が載置される底板（３５）と、前記底板に設けられて前記排紙容器の本体の前面が当接する前支持部（３９）とを有している。
【００１２】
請求項８に記載された排紙収容装置（３０）は、請求項７記載の排紙収容装置において、前記底板（３５）に設けられ、前記排紙容器（３２）の前記蓋体（４２）を前記突当板（２２）に当接した状態で保持する保持部（３８）を有することを特徴としている。
【００１３】
請求項９に記載された排紙収容装置（３０）は、請求項７記載の排紙収容装置において、前記前支持部（３９）の高さが、前記排紙容器（３２）の前記本体（４１）の高さよりも大きく設定されていることを特徴としている。
【００１４】
請求項１０に記載された排紙収容装置（３０）は、請求項７記載の排紙収容装置において、前記前支持部（３９）には、前記排紙容器（３２）の前記本体（４１）を排紙方向に付勢する付勢手段（シート材４０）が設けられていることを特徴としている。
【００１５】
請求項１１に記載された排紙収容装置（３０）は、請求項７記載の排紙収容装置において、前記排紙容器（３２）の前記本体（４１）の内形状及び高さと実質的に同一の外形状及び高さを備えて前記本体内に載置される枠体（４５）と、前記枠体の後部に設けられた後部ガイドシート（４７）と、前記枠体の一対の側部に設けられた一対の側部ガイドシート（４８）とを有する排紙ガイド（３３）をさらに備えており、前記排紙ガイドを前記排紙容器の前記本体内に配置した状態において、前記後部ガイドシートが前記排紙容器の前記蓋体（４２）に当接するように構成されたことを特徴としている。
【００１６】
【発明の実施の形態】
図１〜図８を参照して本発明の実施の形態の一例を説明する。
まず、シート処理手段である画像形成装置としての孔版印刷装置について図１を参照して説明する。
【００１７】
円筒形の版胴１は、所定位置に設けられた自身の中心軸２の回りに回転駆動される。版胴１の周壁３はインキ通過性であり、変形可能である。周壁３の外周面には、中心軸２に平行にクランプ板４が開閉可能に設けられている。クランプ板４は、孔版原紙の先端部をクランプする。版胴１の内部には、フレーム５が固定されている。フレーム５には揺動可能にアーム６が設けられている。アーム６にはスキージロール７が回転可能に設けられている。スキージロール７にはインキ供給手段がインキを供給する。版胴１の回転と、アーム６の揺動と、スキージロール７の回転は連動している。印刷時には、版胴１の回転にタイミングを合わせてアーム６が揺動し、スキージロール７が回転しながら周壁３の内周面を下方に押し出す。
【００１８】
版胴１の下方には所定間隔をおいて紙胴８が設けられている。紙胴８は、所定位置に設けられた自身の中心軸９の回りに版胴１に同期して回転駆動される。紙胴８の外周面には、印刷用紙の先端を保持する爪１０が開閉可能に設けられている。紙胴８の外周面には、版胴１のクランプ板４との干渉を避けるための凹部１１が形成されている。
【００１９】
版胴１の片側には印刷装置が積載される給紙台１２が設けられている。給紙台１２の近傍には、印刷用紙を送りだす給紙ロール１３とタイミングロール１４が給紙経路１５に沿って配置されている。版胴１の反対側には、ピンチロール１６と、印刷された印刷用紙を紙胴８から剥がす排紙爪１７と、排紙ロール１８が設けられている。排紙ロール１８が搬送した印刷用紙は、飛翔台１９から排紙台２０に送りだされるように構成されている。
【００２０】
給紙台１２から送りだされた印刷用紙は、紙胴８の爪１０に先端を保持されて紙胴８の外周面に沿って搬送される。非印刷時には版胴１と紙胴８の間に間隔があるが、印刷時にはアーム６が下降してスキージロール７が周壁３を下方に押し下げ、外方に変形した周壁３が紙胴８に密着する。即ち、周壁３の外周面に設けられた孔版原紙が、紙胴８の上にある印刷用紙に押しつけられる。周壁３の内周面に供給されたインキは、周壁３と孔版原紙の穿孔画像部を通過して印刷用紙の上に転移する。これによって孔版印刷が完了する。印刷された印刷用紙は、排紙爪１７によって紙胴８から剥がされ、排紙ロール１８によって排紙台２０に送られる。
【００２１】
次に、前記排紙台２０について図２を参照して説明する。
図２に示す排紙台２０は、積載台２１、突当板２２、一対の側板２３，２３（図２において手前側の一方は図示していない。）を備えている。印刷済みの印刷用紙は、図中に矢印（イ）で示すように、孔版印刷装置から実質的に水平方向に排出される。印刷用紙が排出される矢印（イ）の方向を、排紙方向と呼ぶ。突当板２２は、排紙方向に対して直交する面を有している。突当板２２は、排紙方向に平行な縦案内レール２４に沿って移動でき、位置を調整できる。孔版印刷装置から排出された印刷済みの印刷用紙は、突当板２２に衝突して前記積載台２１の上に落下し、積載台２１の上に積載されていく。一対の側板２３，２３は、排紙方向に実質的に平行で鉛直な案内面を有し、互いに平行な状態を保持している。一対の側板２３，２３は、排紙方向と略直交する方向に延びる横案内レール２５に沿って移動でき、位置を調整して間隔を任意に設定できる。孔版印刷装置から排出された印刷用紙の排紙方向に平行な一対の側縁は、一対の側板２３，２３によって規制される。
【００２２】
次に、前記排紙台２０に設置される排紙収容装置３０について図３〜図８を参照して説明する。この排紙収容装置３０は、印刷された葉書５０を揃えて専用の容器に直接積載・収納する機能を有する。この排紙収容装置３０は、排紙台２０に着脱可能に設置される排紙器３１と、この排紙器３１に着脱可能に設置される排紙容器３２と、この排紙容器３２の内側に着脱可能に設けられる排紙ガイド３３を有している。
【００２３】
図３に示すように、排紙器３１は、前記積載台２１の上で前記一対の側板２３，２３の間に設置される底板３５を有している。底板３５の排紙方向の長さは、葉書５０の同方向の長辺寸法よりも大きい。排紙方向に直交する方向に関する底板３５の長さは、葉書５０の同方向の短辺寸法に略合致する。この底板３５の後方側（孔版印刷装置から遠い側）の上面に、葉書５０を収納する排紙容器３２が載置される。
【００２４】
底板３５の底には一対の平行な凸条３６が形成されている。この一対の凸条３６は、排紙器３１を排紙台２０上に設置した際、縦案内レール２４の両側にある一対の溝に係止する。
【００２５】
底板３５の両側縁には一対の側面板３７，３７が設けられている。側面板３７は、前側（孔版印刷装置に近い側）にある基部３７ａにおいて底板３５に連結されており、後側では底板３５との間に隙間がある。即ち、一対の側面板３７，３７の後側は底板３５の上方に位置している。この一対の側面板３７の後側は、排紙方向と直交する水平な保持部３８によって連結されている。
【００２６】
このように、排紙器３１は全体として中空箱型に形成されているが、上面及び前面の全部と、後面及び側面の一部が、それぞれ開放されている。
【００２７】
一対の側面板３７，３７の基部３７ａ，３７ａ間には、前支持部３９が設けられている。前支持部３９には、弾性を有する付勢手段としてのシート材４０が取り付けられている。シート材４０は、底板３５の後部上面に載置される排紙容器３２を後方に付勢する。
【００２８】
図３に示すように、前記排紙器３１に適用される排紙容器３２は蓋付きの箱である。開口から葉書５０が収納される箱状の本体４１には、フラップ状の蓋体４２が開閉可能に設けられている。本体４１の内形状は、定型の葉書５０の外形に合致している。本体４１の高さは、前支持部３９の高さよりも低くなっている。
【００２９】
図４に示すように、排紙器３１に排紙容器３２を設置する。蓋体４２を開いてほぼ垂直にした状態で、本体４１を底板３５の後部の上面に載置する。本体４１の前面は前支持部３９に付き当たり、蓋体４２は保持部３８の後面側に接する。排紙容器３２を設けた排紙器３１を排紙台２０の上に設置する。即ち、排紙台２０の突当板２２と一対の側板２３，２３の位置を調整し、これらの板によって排紙器３１を取り囲む。または、排紙器３１を取り囲むように予め突当板２２と側板２３の位置を調整しておき、そこに排紙器３１を設置する。排紙容器３２は、シート材４０による後方への付勢を受けながら、突当板２２と前支持部３９の間に保持される。よって本体４１の前後方向の保持は確実である。また、本体４１の両側面は、排紙台２０の一対の側板２３，２３に接して保持される。よって本体４１の左右方向の保持もまた確実である。さらに、蓋体４２は保持部３８の後面に保持され、排紙器３１が設置された排紙台２０の突当板２２に接する。即ち、蓋体４２は、保持部３８と突当板２２の間に挟まれて保持される。このように、排紙台２０上の排紙器３１に設置された排紙容器３２は、蓋体４２を略垂直にした状態で前支持部の後方の所定位置に位置決めされる。
【００３０】
図５に示すように、孔版印刷装置から排出されてくる葉書５０は、一対の側面板３７の間を通過し、突当板２２と保持部３８の間に保持された蓋体４２に突き当たる。葉書５０は前方に向けて跳ね返るが、前記本体４１よりも高い前支持部３９を越えてしまうことはない。葉書５０は前支持部３９の後方で落下し、確実に本体４１の内部に収納される。
【００３１】
本体４１の内部に葉書５０が円滑に重なっていくためには、葉書５０と葉書５０の間にある空気が抜けるための逃げ場が必要である。本例では、排紙器３１の上面が全面にわたって開放されているので、積み重なる葉書５０と葉書５０の間にある空気が適当に排出され、葉書５０は本体４１内で円滑に重なっていくことができる。
【００３２】
図６に示すように、前記排紙容器３２に適用される排紙ガイド３３は葉書５０を収納容器内導くための装置であり、必要に応じて使用される。排紙ガイド３３は、枠体４５と、枠体４５に設けられて落下する葉書５０を枠体４５内に導くガイド部材４６からなる。枠体４５は、排紙容器３２の本体４１の内形状及び高さと実質的に同一の外形状及び高さを備えている。ガイド部材４６は、枠体４５の後部に設けられた後部ガイドシート４７と、枠体４５の一対の側部に設けられた一対の側部ガイドシート４８からなる。これらのガイドシートは、葉書５０に接触して案内するための部材なので、滑りやすい材質で構成されている。例えば、ポリエチレン製のシート材で構成できる。
【００３３】
図７は、排紙ガイド３３を排紙容器３２の内側に挿入した状態を示している。図８は、排紙ガイド３３を挿入した排紙容器３２を、排紙器３１に設置した状態を示している。排紙ガイド３３の後部ガイドシート４７は、保持部３８と蓋体４２の間に保持される。排紙ガイド３３の一対の側部ガイドシート４８，４８は、側面板３７と側板２３の間に保持される。
【００３４】
排紙ガイド３３によれば、滑りやすいガイド部材４６の案内によって葉書５０を下方に導き、葉書５０の外形に合致した枠体４５を介して葉書５０を本体４１内に落とし込むので、排紙容器３２への葉書５０の収納・積載が円滑に行える。例え、葉書５０の外形や、排紙容器３２の形状に製作上の若干のばらつきがあっても、葉書５０を排紙容器３２に円滑に収納できる。
【００３５】
規定枚数だけ本体４１内に葉書５０が入ったら、排紙器３１を排紙台２０から取り出す。次に排紙容器３２を排紙器３１から取り出す。そしてこの排紙容器３２から排紙ガイド３３を取り出す。後部ガイドシート４７又は側部ガイドシート４８を手で摘んで上方に引けば、葉書５０に触れずに排紙ガイド３３を簡単に取り出せる。そして蓋体４２を閉めれば、葉書５０には全く手を触れることなく、排紙容器３２に収納された印刷済み葉書５０を得ることができる。
【００３６】
葉書５０を収納する枚数が異なる複数種類の排紙容器を用意した場合には、各排紙容器の種類毎に、本体の高さに合わせた高さの枠体を有する排紙ガイドをそれぞれに用意する。
【００３７】
以上説明した一例においては、シートの処理手段として画像形成装置を挙げ、その中の孔版印刷装置について具体的に説明した。しかしながら、本発明は、画像形成装置はもちろん、これに限らず一般にシート状物に何らかの処理をして排紙台上に排出する装置に適用できる。例えば、シート状物に何らかの表面処理を施して排出する処理装置の排紙台に設けることもできる。
【００３８】
【発明の効果】
以上説明したように、本発明によれば、排紙台の突当板と一対の側板の間に排紙器を設置し、排紙容器の本体が底板の前支持部に当接し、蓋体が排紙台の突当板に接した状態になるように排紙容器を排紙器の底板の上に載置するので、排紙を整然と積載した状態で排紙容器に直接収納することができる。
【図面の簡単な説明】
【図１】本発明の実施の形態の一例である孔版印刷装置の構造を示す図である。
【図２】本例における排紙台２０の斜視図である。
【図３】本例における排紙器３１と排紙容器３２の斜視図である。
【図４】本例において排紙器３１と排紙容器３２を組み合わせた状態を示す斜視図である。
【図５】本例において排紙器３１と排紙容器３２を組み合わせた状態を示す側面図である。
【図６】本例における排紙ガイドの斜視図である。
【図７】本例において排紙ガイドと排紙容器３２を組み合わせた状態を示す斜視図である。
【図８】本例において排紙ガイドと排紙容器３２と排紙器３１を組み合わせた状態を示す斜視図である。
【符号の説明】
２０  排紙台
２２  突当板
２３  側板
３０  排紙収容装置
３１  排紙器
３２  排紙容器
３３  排紙ガイド
３５  底板
３８  保持部
３９  前支持部
４０  付勢手段としてのシート材
４１  本体
４２  蓋体
４５  枠体
４６  ガイド部材
４７  後部ガイドシート
４８  側部ガイドシート
【図１】
0003585738.tif 000002
【図２】
0003585738.tif 000003
【図３】
0003585738.tif 000004
【図４】
0003585738.tif 000005
【図５】
0003585738.tif 000006
【図６】
0003585738.tif 000007
【図７】
0003585738.tif 000008
【図８】
0003585738.tif 000009